(57)【特許請求の範囲】
【請求項１】
ＯＬＴが保持するＯＬＴ側ＭＩＢを前記ＯＬＴからＯＮＴにＡｕｄｉｔ用ＭＩＢとしてダウンロードするＯＬＴ側のダウンロード実行と、
前記Ａｕｄｉｔ用ＭＩＢに対応する前記ＯＬＴ側ＭＩＢと前記ＯＮＴが保持するＯＮＴ側ＭＩＢとの一致性を判定するＯＮＴ側の判定実行と、
前記ＯＬＴ側で生成されるセルにより前記ＯＬＴ側ＭＩＢを前記Ａｕｄｉｔ用ＭＩＢとしてセル化するＯＬＴ側のセル化実行と、
前記ＯＬＴから順次に送信されてくるＡｕｄｉｔ用ＭＩＢに対応する前記ＯＬＴ側ＭＩＢを記録するＯＮＴ側の記録実行とを含み、
前記判定実行は、前記ＯＬＴ側ＭＩＢの全てを記録したのちに順次に前記一致性を判定するＯＮＴ側の順次判定実行を備える
ＭＩＢ−Ａｕｄｉｔ制御方法。
【請求項２】
前記ダウンロード実行を開始するための開始信号を前記ＯＬＴに送信するＯＮＴ側の開始指示実行
を更に含む請求項１のＭＩＢ−Ａｕｄｉｔ制御方法。
【請求項３】
前記開始指示実行は、定期的に実行される
請求項２のＭＩＢ−Ａｕｄｉｔ制御方法。
【請求項４】
ＯＬＴが保持するＯＬＴ側ＭＩＢを前記ＯＬＴからＯＮＴにＡｕｄｉｔ用ＭＩＢとしてダウンロードするＯＬＴ側のダウンロード実行と、
前記Ａｕｄｉｔ用ＭＩＢに対応する前記ＯＬＴ側ＭＩＢと前記ＯＮＴが保持するＯＮＴ側ＭＩＢとの一致性を判定するＯＮＴ側の判定実行と、
前記ＯＬＴ側で生成されるセルにより前記ＯＬＴ側ＭＩＢを前記Ａｕｄｉｔ用ＭＩＢとしてセル化するＯＬＴ側のセル化実行と、
前記判定実行以外の全ての処理を禁止するＯＬＴ側の禁止実行と
とを含むＭＩＢ−Ａｕｄｉｔ制御方法。
【請求項５】
ＯＬＴが保持するＯＬＴ側ＭＩＢを前記ＯＬＴからＯＮＴにＡｕｄｉｔ用ＭＩＢとしてダウンロードするＯＬＴ側のダウンロード実行と、
前記Ａｕｄｉｔ用ＭＩＢに対応する前記ＯＬＴ側ＭＩＢと前記ＯＮＴが保持するＯＮＴ側ＭＩＢとの一致性を判定するＯＮＴ側の判定実行と、
前記ＯＬＴ側で生成されるセルにより前記ＯＬＴ側ＭＩＢを前記Ａｕｄｉｔ用ＭＩＢとしてセル化するＯＬＴ側のセル化実行と、
前記セル化実行を促すStart_Auditセルを生成して前記ＯＮＴに送信するＯＬＴ側の生成実行と、
前記Start_Auditセルに基づいて前記ＯＮＴ側ＭＩＢの変更を禁止するＯＮＴ側の禁止実行
とを含むＭＩＢ−Ａｕｄｉｔ制御方法。
【請求項６】
前記Start_Auditセルの受信の前記ＯＮＴ側の通知を受けて前記ＯＮＴ側ＭＩＢの変更を伴う全ての処理を禁止するＯＬＴ側の禁止実行
を含む請求項５のＭＩＢ−Ａｕｄｉｔ制御方法。
【請求項７】
前記Start_Auditセルに対応するResponseセルを生成して前記ＯＬＴ側に通知するＯＮＴ側の通知実行
を更に含む請求項６のＭＩＢ−Ａｕｄｉｔ制御方法。
【請求項８】
前記Responseセルの受信に基づいて前記ダウンロードを開始するＯＬＴ側の開始実行
を更に含む請求項７のＭＩＢ−Ａｕｄｉｔ制御方法。
【請求項９】
前記Ａｕｄｉｔ用ＭＩＢから前記ＯＬＴ側ＭＩＢを抽出するＯＮＴ側の抽出実行
を更に含む請求項８のＭＩＢ−Ａｕｄｉｔ制御方法。
【請求項１０】
前記抽出実行により抽出された前記ＯＬＴ側ＭＩＢを記録するＯＮＴ側の記録実行
を更に含む請求項９のＭＩＢ−Ａｕｄｉｔ制御方法。
【請求項１１】
前記記録実行の度に他のResponseセルを生成して前記ＯＬＴ側に通知するＯＮＴ側の他の通知実行
を更に含む請求項１０のＭＩＢ−Ａｕｄｉｔ制御方法。
【請求項１２】
前記他の通知実行に基づいて他のＡｕｄｉｔ用ＭＩＢを前記ＯＮＴ側にダウンロードするＯＬＴ側の他のダウンロード実行
を更に含む請求項１１のＭＩＢ−Ａｕｄｉｔ制御方法。
【請求項１３】
前記他のダウンロード実行に基づいて前記抽出実行と前記記録実行と前記通知実行とを繰返すＯＮＴ側の繰返実行と、
前記繰返実行に基づいて更に他のダウンリード実行を繰り返すＯＬＴ側の繰返実行
とを更に含む請求項１２のＭＩＢ−Ａｕｄｉｔ制御方法。
【請求項１４】
前記ダウンロード実行を終了するEND_ＭＩＢセルを前記ＯＮＴに送信するＯＬＴ側の終了通知実行を更に含み、
前記判定実行は、前記終了通知実行に基づいて記録されているＯＬＴ側ＭＩＢとＯＮＴ側ＭＩＢの一致性を順次に判定する判定実行である
請求項１３のＭＩＢ−Ａｕｄｉｔ制御方法。
【請求項１５】
前記判定実行の後にResultセルを前記ＯＬＴに送出するＯＮＴ側の送出実行と、
前記送出実行に基づいて前記ＯＮＴ側の禁止実行と前記ＯＬＴ側の禁止実行を解除するＯＮＴ側及びＯＬＴ側の解除実行
とを更に含む請求項１４のＭＩＢ−Ａｕｄｉｔ制御方法。
【発明の詳細な説明】
【０００１】
【発明の属する技術分野】
本発明は、ＭＩＢ−Ａｕｄｉｔ制御方法に関し、特に、ＩＴＵ−Ｔ勧告Ｇ．９８３．２のＭＩＢ  Ａｕｄｉｔを実行するＭＩＢ−Ａｕｄｉｔ制御方法に関する。
【０００２】
【従来の技術】
ＯＬＴとＯＮＴの間のインターフェース制御を規定する規格として、ＩＴＵ−Ｔ勧告のＧ．９８３．２ ”The ＯＮＴ Management and Control Interface Specification for ATM-PON”がある。これには多々の問題点が存在し、その１つとして次のようなＭＩＢ  Ａｕｄｉｔ に関する問題がある。ＯＬＴとＯＮＴの間のインターフェース制御を規定するＩＴＵ−Ｔ勧告に存在する問題点の一つとして、次のようなＭＩＢ  Ａｕｄｉｔに関する問題が存在する。ＯＬＴは、これが保持しているＭＩＢ（ＯＮＴの管理情報）をＯＮＴ側で保持しているＭＩＢと同一であるかどうかを定期的に検査する。これをＭＩＢ  Ａｕｄｉｔという。この際、ＭＩＢの変更がある度にＯＬＴとＯＮＴについて加算していくカウンタＭＩＢ Ｓｙｎｃを用いて、ＯＬＴは、ＯＮＴからＭＩＢ Ｓｙｎｃの値を読み出して、自分の保持しているＭＩＢ Ｓｙｎｃの値と比較する。このようなＭＩＢ Ｓｙｎｃの値のみを比較する比較方法では、カウンタが正しく動作していない状態でも値が偶然一致するケースも考えられるため、このような検査は確実とは言いがたく、更に、ＭＩＢの種類によっては変更時に、互いにＭＩＢ Ｓｙｎｃの加算が行われないものがあるので、この方法は不完全であり満足的ではない。
【０００３】
勧告Ｇ．９８３．２をベースとしたＭＩＢ  Ａｕｄｉｔの効率的な制御方法の提供が望まれる。
【０００４】
【発明が解決しようとする課題】
本発明の課題は、ＭＩＢ  Ａｕｄｉｔが効率的であるＭＩＢ−Ａｕｄｉｔ制御方法を提供することにある。
【０００５】
【課題を解決するための手段】
その課題を解決するための手段が、下記のように表現される。その表現中に現れる技術的事項には、括弧（）つきで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００６】
本発明によるＭＩＢ−Ａｕｄｉｔ制御方法は、ＯＬＴ（２）が保持するＯＬＴ側ＭＩＢ（１２）をＯＬＴ（２）からＯＮＴ（１）にＡｕｄｉｔ用ＭＩＢとしてダウンロードするＯＬＴ側のダウンロード実行と、Ａｕｄｉｔ用ＭＩＢ（１３）に対応するＯＬＴ側ＭＩＢ（１２）とＯＮＴ（１）が保持するＯＮＴ側ＭＩＢ（２１）との一致性を判定するＯＮＴ側の判定実行と、ＯＬＴ（２）側で生成されるセルによりＯＬＴ側ＭＩＢ（１２）をＡｕｄｉｔ用ＭＩＢ（１３）としてセル化するＯＬＴ（２）側のセル化実行とから構成されている。ＯＬＴ（２）が保持するＯＬＴ側ＭＩＢをＯＮＴ（１）にダウンロードして、両ＭＩＢの一致性をＯＮＴ（１）の側で判定するから、確実なＡｕｄｉｔを実行することができ、且つ、ＯＬＴ側の負荷が軽減する。
【０００７】
ＯＬＴ（２）から順次に送信されてくるＡｕｄｉｔ用ＭＩＢ（１３）に対応するＯＬＴ側ＭＩＢを記録するＯＮＴ側の記録実行が更に追加されている。判定実行は、ＯＬＴ側ＭＩＢ（１２）の全てを記録したのちに順次に一致性を判定するＯＮＴ側の順次判定実行であり、ダウンロードの全処理の実行後に一挙に両ＭＩＢの一致性が判定され、処理速度が向上する。ダウンロード実行を開始するための開始信号が、ＯＬＴ（２）に送信され、相互の処理の連係関係が維持される。開始指示実行は、定期的に自動的に実行される。
【０００８】
開始実行の合図に従って、定実行以外の全ての処理を禁止するＯＬＴ側の禁止実行が更に追加され、一致性判定の確実性が更に増大する。特に、ＭＩＢの変更に関する処理は一切禁止される。ＯＬＴ（２）側は、セル化実行を促すStart_Auditセルを生成してＯＮＴ（１）に送信する。Start_Auditセルに基づいてＯＮＴ側ＭＩＢ（２１）の変更が確実に禁止される。Start_Auditセルの受信のＯＮＴ（１）側の通知を受けてＯＮＴ側ＭＩＢの変更を伴う全ての処理がＯＬＴ側でも禁止される。Start_Auditセルに対応するResponseセルを生成してＯＬＴ（２）側に通知するＯＮＴ側の通知実行が更に追加される。Responseセルの受信に基づいてダウンロードが開始される。このような応答によって、両側の処理の同期が確立する。Ａｕｄｉｔ用ＭＩＢ（１３）からＯＬＴ（２）側ＭＩＢ（１２）を抽出し、その抽出により抽出されたＯＬＴ（２）側ＭＩＢ（１２）がＯＮＴ（１）側で記録される。その記録実行の度に他のResponseセルが生成されその記録完了がＯＬＴ（２）側に通知される。その応答の通知に基づいて他のＡｕｄｉｔ用ＭＩＢ（１３）がＯＮＴ（１）側にダウンロードされる。このように１回のダウンロード実行に基づいて抽出実行と記録実行と通知実行とが繰返され、ＯＬＴ側ＭＩＢ（１２）が順次に確実にＯＮＴ（１）の側に移送され地区性される。その繰返実行に基づいて更に他のダウンリード実行を繰り返し、全ＭＩＢの移送が完了する。
【０００９】
ダウンロード実行を終了するEND_ＭＩＢセルがＯＮＴ（１）に送信され、その終了通知に基づいて、記録されているＯＬＴ側ＭＩＢとＯＮＴ側ＭＩＢの一致性が順次に高速に判定される。判定実行の後にResultセルがＯＬＴ（２）側にＯＮＴ（１）側から送出され、その送出実行に基づいて、ＯＮＴ（１）側の禁止実行とＯＬＴ（２）側の禁止実行が解除され、次の周期的判定までの間のＭＩＢの変更が可能になる。
【００１０】
【発明の実施の形態】
図に一致対応して、本発明によるＭＩＢ−Ａｕｄｉｔ制御装置の実施の形態は、ＯＮＴがＯＬＴとともに設けられている。そのＯＮＴ１は、図１に示されるように、ＯＬＴ２に双方向に接続している。セル３が、ＯＮＴ１から送出される。ＯＮＴ１から送出されるセル３は、ＯＬＴ２の第１セル受信バッファ４に蓄積される。第１セル受信バッファ４に蓄積され第１セル受信バッファ４から出力されるセル３は、第１セル識別部５に入力してその種別が第１セル識別部５で識別される。
【００１１】
識別され認識されたセル３は、ＯＬＴ２の第１シーケンス制御部６と第１ＭＩＢ  Ａｕｄｉｔ制御部７（以下、第１ＭＡ制御部という）に通知される。第１シーケンス制御部６は、ＯＬＴ２で実行される各シーケンスの実行管理を行う。第１シーケンス制御部６は、第１ＭＡ制御部７のＭＩＢ  Ａｕｄｉｔ（以下一致比較判定ＭＡという）以外のシーケンスを実行することを禁止する実行禁止設定を行って、第１ＭＡ制御部７に対して一致比較判定ＭＡを開始する開始通知と、第１セル識別部５からの特定セルの識別信号に対応して一致比較判定ＭＡが終了した後の処理を行う。
【００１２】
第１ＭＡ制御部７は、第１セル識別部５から受ける識別信号に対応して、ＯＬＴ２の第１セル生成部８に対して特定セル１３の生成を指示し、ＭＩＢ送出制御部１１に第１ＭＩＢ１２の読出指示を行うことにより、一致比較判定ＭＡのシーケンスを制御する。第１ＭＩＢ１２は、ＯＮＴ１から収集した管理情報であり、ＭＩＢ送出制御部１１から順次に読み出される。ＭＩＢ送出制御部１１は、第１ＭＩＢ１２を読み出して、それをセル３に挿入するためのフォーマット変換を行う。第１セル生成部８は、第１ＭＡ制御部７の指示に応じて一致比較判定ＭＡのシーケンスで用いる各生成セル１３を生成し、ＭＩＢ送出制御部１１から順次にフォーマット変換された第１ＭＩＢ１２をセル化する。このようにセル化され生成された生成セル１３は、第１セル送出部１４で蓄積されてＯＮＴ１へ伝送される。
【００１３】
ＯＬＴ２から送出された生成セル１３は、セル受信バッファ１５に蓄積される。セル受信バッファ１５から出力される特定セル１３は、ＯＮＴ１の第２セル識別部１６によりそれの種別が認識される。第２セル識別部１６により識別され認識された特定セル１３のセル種別は、ＯＮＴ１の第２シーケンス制御部１７とＯＮＴ１の第２ＭＡ制御部１８に通知される。メモリ１９は、第２ＭＡ制御部１８の制御により、ＯＬＴ２からダウンロードされた第１ＭＩＢ１２の蓄積に用いられる。第２ＭＩＢ２１は、ＯＮＴ１がそれ自身で保持している管理情報である。
【００１４】
この第２ＭＩＢ２１とメモリ１９に蓄えられた第１ＭＩＢ１２とは、第２ＭＡ制御部１８の指示を受けて、ＭＩＢチェック部２２でその一致・不一致が比較される。その一致・不一致の比較の結果は、第２ＭＡ制御部１８へ出力される。第２シーケンス制御部１７は、ＯＮＴ１で実行される各シーケンスの実行管理を行う。第２シーケンス制御部１７は、ＭＩＢの変更を伴うシーケンスの実行禁止設定を行い、第２セル識別部１６の通知に基づいて、第２ＭＡ制御部１８に対しては一致比較判定ＭＡの開始通知を行い、更に、第２ＭＡ制御部１８からの一致比較判定ＭＡの終了通知を受けて、一致比較判定ＭＡ終了後の処理を行う。第２ＭＡ制御部１８は、ＯＮＴ１の第２セル生成部２３に対して特定のセルの生成を指示し、セルから抽出した第１ＭＩＢ１２をメモリ１９に書き込み、ＭＩＢチェック部２２にＯＮＴ１が保持する第２ＭＩＢ２１とメモリ１９に保持した第１ＭＩＢ１２の一致・不一致の比較を行う指示をすることにより、一致比較判定ＭＡのシーケンスを制御する。
【００１５】
また、第２シーケンス制御部１７に対しては、一致比較判定ＭＡの終了の時にその終了通知を行う。第２セル生成部２３は、第２ＭＡ制御部１８の指示に対応して一致比較判定ＭＡで用いるセルを生成し、それらのセルは第２セル送出部２４に蓄積されてＯＬＴ２へ送出されることになる。
【００１６】
図２は、本発明によるＭＩＢ−Ａｕｄｉｔ制御方法の実施の形態を示している。シーケンス制御部６は、一定周期で一致比較判定ＭＡの開始指示を第１ＭＡ制御部７に対して通知する（ステップＳ１）。一致比較判定ＭＡの開始指示と同時に、その一致比較判定ＭＡ中に第１ＭＩＢ１２が変更されないように、ＯＮＴ１に対する一致比較判定ＭＡ以外の通常シーケンスの発行を禁止する（ステップＳ２）。この信号を受けた第１ＭＡ制御部７は、第１セル生成部８に対して、一致比較判定ＭＡ開始通知用セル（Start_Audit）を生成するように指示信号を送る（ステップＳ３）。第１セル生成部８は、生成セル１３を生成して、第１セル送出部１４を介してＯＮＴ１に送出する。
【００１７】
同セルは、ＯＮＴ１の第２セル受信バッファ１７に格納され、第２セル識別部１６でStart_Auditセルであると認識される（ステップＳ３）。第２セル識別部１６は、第２シーケンス制御部１７にStart_Auditセルの受信を通知し、それを受けた第２シーケンス制御部１７は、第２ＭＩＢ２１の変更を伴う処理をすべて禁止する設定を行う（ステップＳ４）。更に、第２シーケンス制御部１７は、第２ＭＡ制御部１８に対して、一致比較判定ＭＡ開始通知を行う。これを受けて、第２ＭＡ制御部１８は、Start_Auditセルに対する応答セル（Response）を生成するように第２セル生成部２３に通知する。
【００１８】
第２セル生成部２３で生成されたResponseセルは、第２セル送出部２４を介してＯＬＴ２に送出される（ステップＳ５）。ＯＬＴ２は、このResponseセルを第１セル受信バッファ４で受け、そのResponseセルは、第１セル識別部５でStart_Auditセルに対するResponseセルと確認されて、第１ＭＡ制御部７に通知される。第１ＭＡ制御部７はこれを受けて、ＭＩＢ送出制御部８にＭＩＢの送出開始指示を行う。これにより、ＭＩＢ送出制御部１１は、第１ＭＩＢ１２を順次に読み出してセルに挿入できるようにフォーマット変換を行って、第１セル生成部８に送る。そこでセル化されたＭＩＢセル１３は、第１セル送出部１４を介してＯＮＴ１に対して順次に送出される（ステップＳ６）。
【００１９】
ＯＮＴ１の第２セル受信バッファ１５で受信されたＭＩＢセル１３は、第２セル識別部１６でＭＩＢセル１３であると認識されて、第２ＭＡ制御部１８に送出される。第２ＭＡ制御部１８は、ＭＩＢセル１３から第１ＭＩＢ１２を抽出して順次にメモリ１９に書き込む（ステップＳ７）。個々のセルに挿入されている第１ＭＩＢ１２の書き込みが終了するたびに、第２ＭＡ制御部１８は第２セル生成部２３にResponseセルの生成を指示する。第２セル生成部２３で生成されたResponseセルは、第２セル送出部２４を介してＯＬＴ２に送出する（ステップＳ８）。
【００２０】
ＯＬＴ２で、Responseセルは、第１セル受信バッファ４で受信され第１セル識別部５で認識されて第１ＭＡ制御部７に通知される。Responseセルを受信するごとに第１ＭＡ制御部７は、ＭＩＢ送出制御部１１に第１ＭＩＢ１２の送出の指示を行う。最後に送出したＭＩＢセルに対するResponseを確認した後、第１ＭＡ制御部７は、第１セル生成部８に対して、ＭＩＢ送出終了を通知するセル（END_ＭＩＢ）を送出するように指示する。END_ＭＩＢセルは、第１セル送出部１４を介して、ＯＮＴ１に送出される（ステップＳ９）。
【００２１】
END_ＭＩＢセルは、ＯＮＴ１の第２セル受信バッファ１５で受信され、第２セル識別部１６でEND_ＭＩＢセルであると認識されて、第２ＭＡ制御部１８へ通知される。これを受けて第２ＭＡ制御部１８は、比較検査を行うようにＭＩＢチェック部２２は対して指示する。ＭＩＢチェック部２２は、メモリ１９に蓄積している第１ＭＩＢ１２とＯＮＴ１自身が保持する第２ＭＩＢ２１を読み出して比較を行い（ステップＳ１０）、その結果（全く同一であればＯＫ、又は、１箇所でも違いがあればＮＧ）を第２ＭＡ制御部１８に通知する。
【００２２】
第２ＭＡ制御部１８は、この結果を第２セル生成部２３に通知してResultセルがそこで生成される。Resultセルは第２セル送出部２４を介してＯＬＴ２に送出される。この時、第２ＭＡ制御部１７は、一致比較判定ＭＡの終了を第２シーケンス制御部１７に通知する。これを受けて第２シーケンス制御部１７は、ＭＩＢ変更の禁止設定を解除する（ステップＳ１２）。ＯＬＴ２では、第１セル受信バッファ４で受けて第１セル識別部５を介してResultセルが認識されて、結果が第１シーケンス制御部６に通知される。
【００２３】
この後、第１シーケンス制御部６は、第１ＭＡ制御部７に一致比較判定ＭＡの終了を通知し、これを受けて第１ＭＡ制御部７は、該当ＯＮＴ１に対するシーケンス発行の禁止設定を解除する（ステップＳ１３）。この後、第１シーケンス制御部６は、結果に応じた処理を行う（ステップＳ１４）。
【００２４】
【発明の効果】
本発明によるＭＩＢ−Ａｕｄｉｔ制御方法は、確実なＡｕｄｉｔを行い、また、ＭＩＢ  Ａｕｄｉｔの機能を肩代わりさせてＯＬＴの負荷を軽減する。第一の効果は、ＯＬＴのＭＩＢをＯＮＴにダウンロードしてＭＩＢ  Ａｕｄｉｔの処理を行うため、確実なＭＩＢ  Ａｕｄｉｔを行うことができることである。第二の効果は、実際の処理はＯＮＴが行うことにより、ＯＬＴに負荷をかけずにＭＩＢＡｕｄｉｔが行うことができるので、ＯＬＴ−ＯＮＴ間の不要なトラフィックを増加させないことである。
【図面の簡単な説明】
【図１】図１は、本発明によるＭＩＢ−Ａｕｄｉｔ制御方法の実施の形態を示す回路ブロック図である。
【図２】図２は、本発明によるＭＩＢ−Ａｕｄｉｔ制御方法の実施の形態を示すフロー図である。
【符号の説明】
１…ＯＮＴ
２…ＯＬＴ
１２…ＯＬＴ側ＭＩＢ
１３…Ａｕｄｉｔ用ＭＩＢ
２１…ＯＮＴ側ＭＩＢ
【図１】
0003543734.tif 000002
【図２】
0003543734.tif 000003